(57)【要約】 【課題】給電口カバー等に付着する食品汚れを強くこすらなくても容易に落ちやすくするようにした加熱調理器を得ることを目的とする。【解決手段】オーブンレンジ本体１と、オーブンレンジ本体１内に設けられ、調理物を収納して調理する加熱室２と、加熱室内に高周波を供給するマグネトロン１０と、加熱室の側壁に設けられた給電口開口８を外側から覆い、マグネトロンからの電波を給電口開口に導く導波管１１と、加熱室の上方に配設されたヒーター１２と、加熱室の内壁に設けられた給電口開口を内側から覆う給電口カバー９とを備え、該給電口カバーの面を、潤滑グリスであるシリコングリス１８を混入したシリコン系ゴム混合材１９で被覆したものである。【選択図】図２
2010286195.tif 000002
【特許請求の範囲】
【請求項１】
調理器本体と、
該調理器本体内に設けられ、調理物を収納して調理する加熱室と、
該加熱室内に高周波を供給するマグネトロンと、
前記加熱室の側壁に設けられた給電口開口を外側から覆い、前記マグネトロンからの電波を該給電口開口に導く導波管と、
前記加熱室の上方に配設されたヒーターと、
前記加熱室の内壁に設けられた給電口開口を内側から覆う給電口カバーとを備え、
該給電口カバーの少なくとも加熱室側の面を、潤滑油又は潤滑グリスを混入したシリコン系ゴム混合材で被覆したことを特徴とする加熱調理器。
【請求項２】
前記給電口カバーは、マイカー積層板又はセラミック部材で形成されていることを特徴とする請求項１記載の加熱調理器。
【請求項３】
調理器本体と、
該調理器本体内に設けられ、調理物を収納して調理する加熱室と、
該加熱室内に高周波を供給するマグネトロンと、
前記加熱室の底壁の凹み部に設けられた給電口開口を外側から覆い、前記マグネトロンからの電波を該給電口開口に導く導波管と、
前記加熱室の底壁の凹み部の内側に配設されたヒーターと、
前記加熱室の底壁の凹み部を覆うように取り付けられ、給電口カバーを兼ねる仕切板とを備え、
前記仕切板の少なくとも加熱室側の面を、潤滑油又は潤滑グリスを混入したシリコン系ゴム混合材で被覆したことを特徴とする加熱調理器。
【請求項４】
前記加熱室の底壁の凹み部と前記ヒーターとの間にアンテナを配置し、該アンテナを前記凹み部の外側に設けたアンテナ用モーターにより回転させるようにしたことを特徴とする請求項３記載の加熱調理器。
【請求項５】
前記仕切板は、セラミック部材で形成されていることを特徴とする請求項３又は４記載の加熱調理器。
【請求項６】
前記加熱室の相対向する側面に調理皿の側縁を支える棚部を設け、該棚部の表面を、潤滑油又は潤滑グリスを混入したシリコン系ゴム混合材で被覆したことを特徴とする請求項１〜５のいずれかに記載の加熱調理器。
【請求項７】
前記給電口カバーの両面を前記シリコン系ゴム混合材のディピング処理により被覆し、又は前記給電口カバーの一表面を前記シリコン系ゴム混合材をシート状に形成し、シート状のシリコン系ゴム混合材で被覆したことを特徴とする請求項１又は２記載の加熱調理器。
【請求項８】
前記仕切板の両面を前記シリコン系ゴム混合材のディピング処理により被覆し、又は前記仕切板の一表面を前記シリコン系ゴム混合材をシート状に形成し、シート状のシリコン系ゴム混合材で被覆したことを特徴とする請求項３〜５のいずれかに記載の加熱調理器。
【請求項９】
前記棚部の一表面を前記シリコン系ゴム混合材をシート状に形成し、シート状のシリコン系ゴム混合材で被覆したことを特徴とする請求項６記載の加熱調理器。
【請求項１０】
前記シリコン系ゴム混合材は、前記潤滑油或いは潤滑グリスをシリコン系ゴム接着材に混入して形成されていることを特徴とする請求項１〜９のいずれかに記載の加熱調理器。
【請求項１１】
前記潤滑油或いは潤滑グリスをシリコン系としたことを特徴とする請求項１０記載の加熱調理器。
【請求項１２】
前記潤滑グリスをシリコングリスとしたことを特徴とする請求項１１記載の加熱調理器。
【請求項１３】
前記加熱室内を各種温度に設定する温度設定キーとを備え、
該温度設定キーによって設定された前記潤滑グリスが液状となる所定の温度まで前記ヒーターを加熱させることを特徴とする請求項１０〜１２のいずれかに記載の加熱調理器。
【請求項１４】
前記加熱室内を前記潤滑グリスが液状となる所定の温度に設定するクリーニングモードキーとを備え、
該クリーニングモードキーによって設定された所定の温度まで前記ヒーターを加熱させることを特徴とする請求項１０〜１２のいずれかに記載の加熱調理器。
【発明の詳細な説明】
【技術分野】
【０００１】
本発明は、オーブンレンジや電気オーブン等の加熱調理器に関するものである。
【背景技術】
【０００２】
従来のオーブンレンジは、加熱室に設けられた給電口カバーに食品かす等の汚れが付着しにくい、また掃除がしやすいことを目的として、給電口カバーを塗装やホーローのガラスコーティングで覆ったものが提案されている（例えば特許文献１参照）。
【先行技術文献】
【特許文献】
【０００３】
【特許文献１】特開昭５８−１４５８２７号公報（第１頁、第３図）
【発明の概要】
【発明が解決しようとする課題】
【０００４】
しかしながら、前述した従来のオーブンレンジの給電口カバーに塗装したものは、付着した食品かすを掃除しようとして強くこすると塗装が傷つき耐久性がなかった。
また、ホーロー被覆したものは、強くこすることができ耐久性はあるが、こびり付きやすいという問題があった。
本発明は、かかる問題点を解決するためになされたものであり、給電口カバー等に付着する食品汚れを強くこすらなくても容易に落ちやすくするようにした加熱調理器を得ることを目的とする。
【課題を解決するための手段】
【０００５】
本発明に係る加熱調理器は、調理器本体と、該調理器本体内に設けられ、調理物を収納して調理する加熱室と、該加熱室内に高周波を供給するマグネトロンと、前記加熱室の側壁に設けられた給電口開口を外側から覆い、前記マグネトロンからの電波を該給電口開口に導く導波管と、前記加熱室の上方に配設されたヒーターと、前記加熱室の内壁に設けられた給電口開口を内側から覆う給電口カバーとを備え、該給電口カバーの少なくとも加熱室側の面を、潤滑油又は潤滑グリスを混入したシリコン系ゴム混合材で被覆したことを特徴とするものである。
【発明の効果】
【０００６】
本発明に係る加熱調理器においては、加熱室の内壁に設けられた給電口開口を内側から覆う給電口カバーの少なくとも加熱室側の面を、潤滑油又は潤滑グリスを混入したシリコン系ゴム混合材で被覆したので、ヒーターへの通電により加熱室内の温度が上がると、給電口カバーの加熱室側の面を被覆したシリコン系ゴム混合材のあたたかく、軟らかくなった潤滑油がシリコン系ゴム混合材の表面を膜状に覆い、又は潤滑グリスが徐々に液状となり染み出てシリコン系ゴム混合材の表面を膜状に覆うため、食品かす等の汚れが付着しても強くこすらず容易に落とすことができるという効果がある。
【図面の簡単な説明】
【０００７】
【図１】本発明の実施の形態１のオーブンレンジを示す斜視図。
【図２】同オーブンレンジの断面図。
【図３】同オーブンレンジの給電口カバーの断面図。
【図４】同オーブンレンジの給電口カバーのシリコンゴム混合物表面に染み出たシリコングリス膜を示す断面図。
【図５】本発明の実施の形態２のオーブンレンジの給電口部の断面図。
【図６】本発明の実施の形態３のオーブンレンジを示す断面図。
【発明を実施するための形態】
【０００８】
実施の形態１．
図１は本発明の実施の形態１のオーブンレンジを示す斜視図、図２は同オーブンレンジの断面図、図３は同オーブンレンジの給電口部の断面図、図４は同オーブンレンジの給電口部のシリコングリス膜を有する断面図である。
図１に示すように、加熱調理器本体であるオーブンレンジ本体１の内部に前面が開口した加熱室２が形成されている。加熱室２の前面開口部にはドア３が開閉自在に設けられている。
一方、オーブンレンジ本体１の前面でドア３の右側方に操作パネル４が設けられている。その操作パネル４には温度設定キー５ａやクリーニングモードキー５ｂの他、調理時間設定や調理開始等のキーが設けられている。さらに、操作パネル４の上部には調理モードを示す表示部６が設けられている。
また、加熱室２の側面、天面、底面は鋼板で構成され、側面右側に給電口カバー９が取付けられている。
【０００９】
図２に示すように、加熱室２の上面外側に上ヒーター１２と底面外側に下ヒーター１３が設置されている。加熱室２の内部には食品を載置する受台１４があり、その受台１４はモーター１５により駆動回転させられる。
加熱室２の右側面には給電口開口８が設けられており、その給電口開口８の外側に発信器であるマグネトロン１０より電波を導く導波管１１が設けられ、その給電口開口８の内側に給電口開口８を覆う給電口カバー９が設けられ、給電口カバー９と導波管１１がネジ１６により加熱室２の右側面に取り付けられている。
給電口カバー９はマイカ積層板で、ディピング処理にて表面がシリコンゴム混合材１９で被覆されている。
図３に示すように、シリコンゴム混合材１９は、シリコンゴム接着材１７に耐熱性を有するシリコングリス１８が混入されて形成され、給電口カバー９の表面を被覆している。
【００１０】
本発明の実施の形態１のオーブンレンジでは、操作パネル４に設けられたクリーニングモードキー５ｂが操作されると、上ヒーター１２と下ヒーター１３が通電され、予めプログラム設定されたシリコングリス１８が液状となる温度まで加熱室２の温度が上昇させられる。
これにより、給電口カバー９を被覆しているシリコンゴム混合材１９も加熱されて温度が上昇し、図４に示すように、シリコンゴム混合材１９に混入されている耐熱性を有するシリコングリス１８のシリコングリス粒子１８ａが高温によりグリス状から徐々に液状となり染み出てシリコングリス膜１８ｂとなって表面を膜状に覆うので、食品かすがこびり付かず付着しにくいため、付着しても食品かすを簡単に掃除により落とすことができる。
なお、給電口カバー９の近傍は給電口開口８により強電界領域であり、掃除しても取れずこびり付いたままにすると食品かすが炭化し、発煙、発火することが確認されている。
【００１１】
本発明の実施の形態１によれば、給電口カバー９を、シリコンゴム接着材１７に耐熱を有するシリコングリス１８を混入して形成したシリコンゴム混合材１９で被覆しているので、加熱室２の庫内温度が上昇すると、シリコンゴム混合材１９から混入されたシリコングリス１８のシリコングリス粒子１８ａが高温により、グリス状から徐々に液状となり染み出てシリコングリス膜１８ｂとなって表面を覆うので、食品かすがこびり付かず付着しにくいため、付着しても食品かすを簡単に掃除により落とすことができる。
【００１２】
実施の形態２．
図５は本発明の実施の形態２のオーブンレンジの給電口部の断面図である。
この実施の形態２において、実施の形態１と同様の構成は同一符号を付して重複した構成の説明を省略する。  
この実施の形態２は、シリコンゴム接着材１７に耐熱性を有するシリコングリス１８を混入して形成したシリコンゴム混合材１９をシート状にし、図５に示すように、シート状のシリコンゴム混合材１９でマイカ積層板の給電口カバー９の加熱室２側を覆い、ネジ１６によりシリコンゴム混合材１９と給電口カバー９を加熱室２の側面に取り付け固定したものである。
【００１３】
この実施の形態２によれば、シリコンゴム接着材１７に耐熱シリコングリス１８を混入して形成したシリコンゴム混合材１９をシート状にしたので、シート状のシリコンゴム混合材１９は量産性が良く、低コストである。
また、実施の形態１と同様に、シート状のシリコンゴム混合材１９のシリコングリス粒子１８ａがシリコングリス膜１８ｂとなって表面を膜状に覆うので、食品かすがこびり付かず付着しにくいため、付着しても食品かすを簡単に掃除により落とすことができる。
【００１４】
実施の形態３．
図６は本発明の実施の形態３のオーブンレンジを示す断面図である。
この実施の形態３において、実施の形態１と同様の構成は同一符号を付して重複した構成の説明を省略する。
この実施の形態３のオーブンレンジは下部給電方式で、加熱室２の側面にセラミック側面板２５が設置されている。
即ち、図６に示すように、加熱室２の側面にはプレス成形により２段階に窪んだ凹部２ａが形成され、その凹部２ａにセラミック側面板２５が固着されている。
そのセラミック側面板２５には、一体に形成された棚部２３がセラミック側面板２５の横幅全体に及ぶよう並行に上下２列形成されている。
このように加熱室２の左右両壁面にそれぞれ設置されたセラミック側面板２５の相対向する棚部２３で金属製の調理皿２４の左右側縁を支えている。
そのセラミック側面板２５の加熱室２側の表面は、シリコンゴム接着材１７に耐熱を有するシリコングリス１８を混入して形成したシリコンゴム混合材１９で棚部２３を含めて被覆されている。セラミック側面板２５の加熱室２側の表面に対するシリコンゴム混合材１９の被覆は、セラミック側面板２５の加熱室２側の表面にディピング処理により被覆してもよく、又はセラミック側面板２５の加熱室２側の表面をシート状に形成したシリコンゴム混合材１９で被覆してもよい。
なお、調理皿２４は必ずしも金属製である必要はないので、例えば耐熱性樹脂で形成されたものでも良い。
【００１５】
また、加熱室２の底面には大きな凹み部分２ｂが形成され、この凹み部分２ｂの中には調理物を加熱するシーズヒーター等の下ヒーター１３が設置されている。その凹み部分２ｂの上方全体は、凹み部分２ｂに取り付けられた耐熱性の結晶化ガラスから形成された平板状の仕切板２０で常に覆われている。
その仕切板２０の加熱室２側の表面は、シリコンゴム接着材１７に耐熱を有するシリコングリス１８を混入したシリコンゴム混合材１９で被覆されている。このシリコンゴム混合材１９は仕切板２０の端部と加熱室２の底面の凹み部分２ｂの一部にも注入接着され、凹み部分２ｂに水や食品かす等が入らないようシールしている。
また、凹み部分２ｂの外面には発信器であるマグネトロン１０より電波を導く導波管１１が設置され、凹み部分２ｂの内面側にはアンテナ２１が設けられており、そのアンテナ２１にアンテナ用モーター２２のモーター軸が凹み部分２ｂに形成された給電口開口８を貫通して接続され、アンテナ用モーター２２によりアンテナ２１は回転駆動させられ、加熱室２へマイクロ波が供給される構造にしている。
【００１６】
この実施の形態３によれば、加熱室２の側面に取り付けられたセラミック側面板２５と加熱室２の底面に取り付けられた仕切板２０のそれぞれの表面は、シリコンゴム接着材１７に耐熱を有するシリコングリス１８を混入したシリコンゴム混合材１９で被覆されているので、実施の形態１と同様に、シリコングリス１８のシリコングリス膜１８ｂが表面を膜状に覆うことにより、食品かすがこびり付かず付着しにくいため、付着しても食品かすを簡単に掃除により落とすことができる。
また、加熱室２の側面に取り付けられたセラミック側面板２５の棚部２３の表面もシリコングリス膜１８ｂが覆うので、滑り易く調理皿２４の出し入れがスムーズに行える。
【００１７】
従来品は、セラミック側面板２５の棚部２３もセラミックなので、調理皿２４を出し入れすると擦れにより磨耗粉と擦れ音が発生していたが、この実施の形態３では、棚部２３もシリコングリス膜１８ｂが覆うことにより、静かにスムーズに調理皿２４を出し入れすることができる。
同様に、加熱室２の底面に取り付けられた仕切板２０も、耐熱を有するシリコングリス１８を混入したシリコンゴム混合材１９の被覆効果で、加熱室２への調理物を入れた茶碗、皿などの容器の出し入れがスムーズに行うことができる。
【００１８】
上記実施の形態１〜３では、シリコンゴム混合材１９は、シリコンゴム接着材１７に耐熱性を有するシリコングリス１８を混入して形成しているが、シリコンゴム接着材１７の代わりにシリコンを主材とするシリコン系ゴム接着材を用い、シリコングリス１８の代わりにシリコンを主材とするシリコン系グリス或いはシリコン系潤滑油、又は潤滑グリス或いは又は潤滑油を用いてもよい。
なお、給電口カバー９又は仕切板２０をシリコン系潤滑油又は潤滑油を混入したシリコンゴム混合材１９で被覆した場合、ヒーター１２又は１３への通電により加熱室２内の温度が上がると、あたたかく、柔らかくなったシリコン系潤滑油又は潤滑油がシリコンゴム混合材１９の表面を膜状に覆うため、食品かすなどの汚れが付着しても強くこすらず容易に落とすことができる。
【符号の説明】
【００１９】
１  オーブンレンジ本体（調理器本体）、２  加熱室、３  ドア、４  操作パネル、５ａ  温度設定キー、５ｂ  クリーニングモードキー、６  表示部、８  給電口開口、９  給電口カバー、１０  マグネトロン、１１  導波管、１２  上ヒーター、１３  下ヒーター、１４  受台、１５  モーター、１６  ネジ、１７  シリコンゴム接着材、１８  シリコングリス、１８ａ  シリコングリス粒子、１８ｂ  シリコングリス膜、１９  シリコンゴム混合材、２０  仕切板、２１  アンテナ、２２  アンテナ用モーター、２３  棚部、２４  調理皿、２５  セラミック側面板。
【図１】
2010286195.tif 000003
【図２】
2010286195.tif 000004
【図３】
2010286195.tif 000005
【図４】
2010286195.tif 000006
【図５】
2010286195.tif 000007
【図６】
2010286195.tif 000008